(57)【要約】【課題】廃棄物受容袋の予備用も含め巻囘体複数個を使い勝手よく、外筺体内に収容せしめる。【解決手段】プラスチック薄片で形成された廃棄物受容袋、特にガゼット加工を施した布袋（ホテイ）袋の連続体を巻上げ形成した巻囘体の予備を含め複数個を収容し、この受容袋が満杯となって廃棄する際、次の、予備の袋体を手際よく巻囘体より一枚づつ分離し、外筺体の所定部分に装着させる事ができる様、連続巻囘体と予備用巻囘体とを比較的簡単なしかも、独立的に販売可能とした保持装置を外筺体に設けたものである。【選択図】図１７
2004075378.tif 000002
【特許請求の範囲】
【請求項１】
プラスチック薄板より成る連続袋巻囘体と、該巻囘体を収容保持すると共に外筺体開口部より該巻囘体中の一袋を取出す時該巻囘体がその収容部より離脱する事を抑止しつつ所望の一袋のみ分離し得べくしてなる手段及びこの手段を固定する手段とを具備してなる巻囘体保持装置と、該巻囘体保持装置に該巻囘体を保持させると共に収容体に内装し、該巻囘体より取出した袋体の開口端縁を着脱可能に所定部位に係着せしめて供用すべくしてなる廃棄物受容装置
【発明の詳細な説明】
【０００１】
【考案に属する技術分野】
この考案はインフレーション加工により形成される（イ）断面円環状樹脂連続袋の巻囘集合体、就中、巻付芯材を有しない巻囘集合体と、（ロ）この巻囘集合体を抱持すると共に必要に応じて巻囘集合体から所望の袋を、順次、引き出しながら取り出す操作をする際、その袋を巻囘集合体から分離可能となるべく設けられた抱持片とを少なく共、備えた巻囘集合体保持装置と（ハ）この巻囘集合体保持装置を容器内部に設置したゴミ受け容器と（ニ）このゴミ受け容器を併用してなる機器、例えば、文書細断機（シュレッダー）等に関する。
【０００２】
【従来の技術】
断面円環状樹脂連続袋の巻囘集合体、就中、巻付芯材を有しないものに関する提案は本発明者が既に実公昭５９−４９２５として権利取得済みのものを含めて、他者よりも数件行われて来ているが、これらはいずれも巻囘集合体を形成する事にのみ視点を置いたものであり、巻囘集合体を保持装置や収容体と関連づけて使い勝手を改善すると言う観点が希薄であった為、巻囘集合体の引き出し端縁に迄及んだ改善に対する配慮が充分であったとは言い難いものであった。
【０００３】
巻囘集合体の保持装置に関する提案は従来より、特開昭５８−１４４００１他２０余件が提案されて来ている。しかし、これらの提案はいずれも保持装置自体複雑な構造であり、製造（加工工程）が複雑となるものであって、製造工数の増大や、部品点数の増加に伴う製造費用の上昇が避けられないものであった。
それ許りか、これらが原因となる装置自体の信頼性も不充分なものとなって、くり返し使用すると、使用上の難点、例えば、所望しない袋迄、吐き出してしまうとか、袋を引き出す際に、保持装置の袋取出部分に袋側端縁が引掛るとかの不都合が生ずるものであった。
【０００４】
巻囘集合体保持装置を容器内部に設置する形態のゴミ容器は上記、特開昭５８−１４４００１、実開平２−２６００３等１０余件が提案されているが、これらはいずれも容器内に保持装置を固定する方法に難があり、利用者にとって固定手段の取扱いが困難だったり着脱自在でありながら、安定的に容器内に固定でき、かつ信頼性ある供用に耐えると言う面で効果を発揮していなかった。
【０００５】
文書細断機の紙片屑受け装置として特開平３−２７８８４７が提案されている。この方法ではカートリッジ式の巻囘集合体保持装置に特徴があり、発想の原点としては実開昭５８−１６６５０３に近いものと言えるが、この案ではカートリッジの固定手法に改良を加えたものとも見受けられる。残念乍ら、この案ではそれなりの効果はあっても、カートリッジ自体の構造の複雑さから来る製造費用の増大と、容器自体の側面の透孔形成の為の加工費増、これによる容器自体の構造上の弱体化等が避けられない。
【０００６】
【考案が解決しようとする課題】
この考案では前述在来技術の諸難点を改善するものであって次の（イ’）〜（ニ’）を含む。
【０００７】
（イ’）断面円環状の樹脂製連続袋の巻囘集合体であって、単体の儘でこれを利用する際には纏まりがよく、かつ、使い勝手に優れ、保持装置に装填する際、収まりが良く、所望の袋を取り出す操作を円滑に行える様にしたものを提案する。
【０００８】
（ロ’）断面円環状の樹脂製連続袋の巻囘集合体を保持する装置であって、この巻囘集合体を擁した状態での単独利用する際には纏まりがよく、所望の袋をこの巻囘集合体より分離して取り出す際に、確実に分離する手段を備え、かつ、巻囘集合体の残余部分の逸脱を抑制する構成をとる装置を提案し、使い勝手を改良している他、容器内に容易に取り付けるようにした取付手段により、安直、かつ、確実な容器内固定を可能にして一層の供用の便を計っている装置も提案する。
【０００９】
（ハ’）断面円環状の樹脂製連続袋の巻囘集合体から所望袋を分離し、分離された袋を採り上げ、容器に保持させて、ゴミ入れとしてこの袋を供用できる様にし、利用者が袋が満杯になった事を知って廃棄する際、容易に新しい袋を供給できる様にし、しかも製造組立が容易なゴミ容器を提案する。
【００１０】
（ニ’）文書細断機は一度に大量の紙片屑を発生するものであるが、その処理に際しては、紙片屑収容袋は欠かせないものであり、この場合、紙片屑収容袋を連続的に供給可能とすると使い勝手が向上するものであるが、この考案では、此種、使い勝手が良い廉価で簡便な紙片屑受けを備えた文書細断機への応用をも提案する。
【００１１】
【課題を解決する手段】
前述（イ’）〜（ニ’）の課題を解決する為、本考案では、夫々（イ’）〜（ニ’）に対応する（イ’’）〜（ニ’’）の要旨、次の構成の要素技術を採用する。
【００１２】
（イ’’）巻囘集合体：巻囘集合体（１０）は形成過程で第５図々示の通り側縁部に連続補強材（８）添設をおこなうか、集合体形成の最終段階で、第３図第４図の通り端縁補強を兼ねた締付片（シール材）（６）（６’）を添設するもので、締付片（シール材）（６）（６’）には、引き剥がし容易な接着剤（５）を予め添付しておく。
又、巻囘集合体（１０）を形成する原材料としては、紙、特にクラフト紙等でもよいが、通常は樹脂フィルムを用いる。
これらは、第１段階で断面円環状となる如くに加工を施し、次いで巻囘体（１０）から分離後、単一の袋（１）を布袋袋に仕上げたい場合は、予め、必要に応じて側方の挟み折り加工（ガゼット加工）（１１）（１１）を施こす。
更に所望の位置で、袋形成の為の熱溶着部（４）と、集合体形成後の袋切離しを容易にする為のミシン目（２）加工（パーフォレーション）を行うのであるが、この考案の袋では、更に、ミシン目の一部分に分離を容易にすべく、引き裂き支援の為の長孔型間隙（３）をミシン目上に重畳して形成している。
【００１３】
この引き裂き支援間隙（３）は後述する袋分離手段としての尖端（２２）を此処に受容した上で、袋（１）に引張力を加えると容易に、ミシン目（２）に沿った袋分離を行い得る構成となっている。
又、袋（１）は、必ずしも、布袋袋態様で形成された筒状体から形成されるものでなくても可いが、此処では、単体袋自体の使い勝手の関係から最終単体袋が布袋袋となる連続複数袋巻囘体を得る目的で、予め、布袋袋構成の筒状体を用い、袋底形成溶着部及び引き裂き支援間隙（３）を含むミシン目を介して、所望袋数相当分だけを形成して、図示せぬ巻取機の巻芯の周りに巻き上げ形成される。
【００１４】
此様にして形成された巻取機の巻芯から外された状態の複数連続袋巻囘体（１０）では、仕上がり状態で通常は用いられる紙製等による芯管（図示せず）をもたず、この為、巻囘体（１０）形成時に手間仕事であった巻囘体（１０）形成毎の芯管（図示せず）を巻上機芯部への装着を予め行なう必要がなくなる事となり、加工費を削減できるものとなる。
【００１５】
巻囘体（１０）としては通常、この状態で供用し得る事となるのであるが、特に、布袋袋として形成してある巻囘体（１０）は巻上径が大きくなると型崩れが生じ易くなる事があるので、必要に応じて側縁に、第５図々示の通り仮接合を可能とする接着剤を添付したクラフト紙等から成る細幅の帯状体（８）を添着させて、これを防ぐ等の手段を設けてもよい。
【００１６】
（ロ’’）巻囘体保持装置：前記巻囘体（１０）は単体で用い得る事は勿論であるが、この考案では、この巻囘体（１０）の使い勝手を更によくする目的で、巻囘体（１０）の取付、固定を容易にすると共に、所望の単一の袋を巻囘体から分離するための手段をも擁する巻囘体保持装置（２０）を設ける。
【００１７】
保持装置の第１実施例は第６図により、第２実施例は第７図、第８図以下は夫々、第３実施例は第１１図、第４実施例は第１２図、第５実施例は第１３図、第６実施例は第１４図に示し、夫々、後述するが、此処では第１実施例に基づき概説する。即ち、この第１実施例の巻囘体保持装置（２０）は前方（２１）及び側方（２６）両部材より成り、それぞれ前記巻囘体（１０）を抱持すべく配置する。これら部材中、前方部材（２１）は巻囘体（１０）の始端引出口を構成すると共に、所望の単一袋（１）分離用の手段（２２）を引出口縁に形成する。前記巻囘体（１０）は、これらの部材に保持固定される態様で供用される。
【００１８】
巻囘体（１０）の始端は、これを巻抑えしている端縁補強シール材（６）を、まず、引き剥がし、この部分を案内手段として、保持装置（２０）の引出口（２８）縁に挿通し、最初の分離を予定する単一袋（１）に関する装着を完了させ、後続の袋は最初の袋が引出分離されると、順次、引き続き連続的に引出口に現れるべく形成する。
【００１９】
（ハ’’）容器装置：第６図、第１１図、第１４図の各実施例では前述保持装置（２０）とを兼用する例であるが、此処では、第６図の実施例により概説する。即ち、前述の巻囘体（１０）を備えた容器装置（３０）は、巻囘体（１０）から分離される単一袋（１）をゴミ屑用袋として供用する際、このゴミ屑用袋を容器装置（３０）内側に装着して収容するものである。
これと同時に前記ゴミ屑用袋（１）を巻囘体（１０）としたものを、この容器装置（３０）内側が側方抱持片（２４）（２４）前方抱持片（２１）（２３）後方抱持片（２６）により巻囘体保持装置を実質的に形成しているので巻囘体（１０）を容器装置（３０）内に収容すると、ゴミで満杯になったゴミ屑袋（１）を外へ捨てた後は、次に用いる袋が後述する第１７図、第１８図第２０図、第２１図々示の中子外容器内（６０）の巻囘体保持装置（２０）に抱持された状態にある巻囘体（１０）から、分離取得され得るべく常に準備されている態様で中子外容器内（６０）に収容しておくことが可能となっているもので、袋（１）の供給を容易とする使い勝手のよいものとする事ができるのである。
【００２０】
（ニ’’）前記中子外容器（６０）を文書細断機の紙片屑収容袋（１）の保持容器として応用する際は、文書細断機の紙片屑処理を容易にしようとするものである。
【００２１】
【考案の効果】
上記巻囘体は、単体の儘、図示せぬ筒状外皮に収容し、単一の商品として、販売に供し得るだけでなく、前記保持装置（２０）に前記巻囘体（１０）を収容する態様の儘々でも単一の商品として販売に供え得る。
即ち、前記保持装置（２０）はゴミ入り袋収容の為の容器装置（３０）内に設置してこの状態で使い勝手の良い単体のゴミ入り袋収容の為の容器装置（３０）として供用する事もできる。
【００２２】
又、上記ゴミ入り袋収容の為の容器装置（３０）は文書細断機の紙片屑収容袋の保持容器としても応用可能で、文書細断機の紙片屑処理を容易にするものとして供用できる。
【００２３】
【実施例】
（イ）巻囘体（１０）の実施例について説明する。
第１図〜第５図は本考案袋及びその巻囘体（１０）の構成実施例を説明する図であって、第１図は布袋（ホテイ）袋状の前記単体袋（１）を得る為の巻囘体（１０）の一部をほどいて図示した斜視図である。この袋の材質は樹脂、例えばポリエチレンの薄膜フィルムを断面円環状とした連続円筒体を加工開始材料として、加工中間工程で狭幅化手段としてホイール体を対向配置したゲートを通過させる間で、ガゼット化折畳み加工を加え、単体袋が加工前に連続帯状体に形成したものに分離用ミシン目（２）同袋分離支援間隙（３）、単体袋（１）と化した時の袋底形成用溶着帯部（４）加工を施こしたものである。猶、第４図は巻囘体（１０）の締付片（６）（シール材）の変形例である。
【００２４】
又、この端縁（７）には、巻囘体（１０）巻囘形成された後、容易にはほぐれない様にする為、締付片（６）、（６’）、（６’’）を添着する。単に端縁（７）を固定するだけならば市販の粘着テープでもよいが、この締付片（６）、（６’）、（６’’）は接着剤塗布部（５）及び接着剤が塗布されていない引き剥がし部（９）、（９’）、（９’’）を設け、塗布部は巻囘体端縁（７）の巻囘体側に固定さす事に役立て、引き剥し部（９）、（９’）、（９’’）は、巻囘体（１０）をほぐす際に役立てると共に、この部分（９）、（９’）、（９’’）自体は後述する巻囘体抱持装置（２０）に巻囘体を抱持させた上で、単体化する袋（１）を分離して取り出す為、取出口（２８）へ挿通させる案内片としても利用できるようにしたものである。
【００２５】
この締付片（６）、（６’）、（６’’）等の実施例形状は、第２図、第３図、第４図に示す通りのものであるが、これらに限らず、案内片としての効果さえ発揮可能な形でありさえすれば断面三角形状、矩形状のものであっても構わず、又、材質も、プラスチックや紙であっても構わないし、又、第２図実施例と第３図、第４図実施例との組合わせを夫々変更しても構わない。
【００２６】
分離支援間隙（３）はミシン目（２）列と重畳位置にあればよく、数は１ヶ所と限らないが、本実施例ではガゼット（１１）（１１）を避けた位置に、ミシン目（２）列上にミシン目加工工程と同一工程で形成させている。
【００２７】
溶着帯部（４）は通常、熱棒溶着又は高周波溶着により形成するものであって、この場合、ガゼット（１１）（１１）部分も溶着帯を図示の如く共通的に形成する。
【００２８】
本実施例で連続帯状体（１２）を巻囘体（１０）化するには巻上機（図示せず）の巻芯周囲に連続帯状体（１２）端部を巻き付けて、巻き上げるだけであって、材料費や加工費の低減を計る目的で通常行う紙製巻芯は利用しない。
【００２９】
第５図に示す実施例は、ガゼット側縁の内側にクラフト紙の補強帯（８）を設けた例である。クラフト紙は表面滑度が、一般に、ポリエチレン等の樹脂より粗であるので帯状体（１２）を巻囘する際、比較的固く巻き上げる事ができる上、巻上きげ状態で形崩れがおこりにくい利点を有するので、この実施例の巻囘体は比較的太巻きの巻囘体を形成するのに適している。
【００３０】
この補強帯（８）は断面円環状連続円筒体の正ガゼット加工前、又は、正ガゼット加工中に添接する。
接合は、予め、接着剤をクラフト紙の接合面に塗布したものを用い、この際、接着剤接着強度は巻囘体供用時にクラフト紙が容易に剥離できる程度とする。
【００３１】
巻囘体（１０）の完成品を単体でそのまま市販するには、本体のほこり汚染保護や、締付片（９）、補強帯（８）に用いる接着剤の接着力保護の為、フィルム円筒体や防湿紙（筒）等で適宣、被覆保護をする。
【００３２】
（ロ）保持装置（２０）の実施例について説明する。
第６図は本考案の箱型保持装置の第１実施例を示すものである。
この装置では、利用時には、さして、大きな力が加わらないので、使用材料はプラスチックでも構わないが、説明の都合上、鉄板等の金属板を用いて形成している例である。
【００３３】
この第１実施例では、第６図に示す通り前方第１抱持片（２１）、前方第２抱持片（２３）、側方抱持片（２４）（２４）、前方第１抱持片中央部に一体形成された連続袋分離用尖端片（２２）、底板（２５）、後方抱持片（２６）から成る。第７図第８図は各部材前方第１抱持片（２１）、側方抱持片（２４）（２４）、連続分離用尖端片（２２）を棒材で構成したものであるが板材で置換したものを第６図で採用しているので、この点の相違を除けば各部材の位置関係は第７図、第８図と同位置関係に構成している。
【００３４】
即ち、第８図々示の如き位置関係で前方抱持片（２１）の上端縁と尖端片（２２）の下端間は上下方向には、略々、同一位置とするか、抱持片（２３）の位置の方が側面視で尖端片（２２）の下端より高い位置に来る様に設定した態様で前述の巻囘体端縁の挿通開口部（２８）を板材により形成する。
又、前方第２抱持片（２３）の切起し位置は、前方第１抱持片（２１）の垂下位置より内方に位置するよう設定する。
【００３５】
巻囘体（１０）を収容部（３５）に収容した後、巻囘体（１０）の端縁（９）（９’）の挿通を容易にすると共に、該端縁（９）（９’）挿通後、上方への引張力を付与すると共に尖端片（２２）が分離支援間隙（３）と掛合し、巻囘体（１０）のミシン目（２）に添って所望の単一袋体（１）が容易に分離されることとなるものである。
【００３６】
第９図には保持装置（２０）を金属板と棒状体とで構成する第２実施例細部を示す。前第１実施例で前方第１抱持片（２１）に相当するものは、例えば、ステンレス製の単一棒状部材を折り曲げ加工により、第９図（斜視図）の通り、棒状左右支腕（２４’）（２４’）が側方抱持片を、棒状水平横架部（２１’）が前方抱持片を形成するように夫々構成し、巻囘体（１０）を収容部（３５）に収容した時、前後左右への移動を阻止する。
この折曲棒状部材は固定部（３１’）を底板（２５）に隅肉溶接して固定しているが溶接は在来の溶接法、例えば、単なる電気溶接（スポット溶接）や、アルゴン溶接を用いる。
分離用尖端（２２’）は、この棒状部材の一部であって、水平横架部の中点近傍を実施例図の通りに折り曲げ形成する。
【００３７】
この固定部（３１’）は、第１０図に示す如く、一部に湾曲突起部（２１’’）を形成し、これを底板（２５）又は後述する容器底板（２５）から切起し形成した係止部（２８）に挿着係止する方法を用いてもよい。
この保持装置（２０）は第６図々示の該当対応部材を相互置換させた態様で形成利用する。
【００３８】
第１１図には容器装置兼保持装置の第２実施例である。この例に応用する収納容器（３５）は第６図（第１実施例）中に鎖線で表示した部分（側板等）とは共通的な構造であるが、天蓋（３１）は断面は一部（３２）は弧状に形成されている。
【００３９】
この実施例の装置の収納容器（３５）は前方第２抱持片（２３）、底板（２５）は金属単板を折り曲げ形成するもので、必要に応じ、第６図実施例と同様の後方抱持片（２６）を形成しようとする場合はこれも併せて折り曲げ形成する。これに図示の如き天蓋（３１）を、金属板で形成する時は通常供用される蝶番を、プラスチックで形成する時はクリップ・ヒンジ（３２）（３３）により第１６図に示す如く可囘動的に係着施蓋して単体容器の態様で販売することができる。この形状のまゝ、第１、第２実施例共巻囘体（１０）収納装置として単体又は巻囘体（１０）を収納した状態で市販に供用できるものである。
【００４０】
一方、後述の如く、この収納容器（３５）及び天蓋（３１）等から成る装置を第１７図第１８図の如く、中子外容器（６０）等の外包体容器中に装着利用しようとする場合は、天蓋（３１）は用いなくとも、その目的は達成可能であるし、更に同様に後方抱持片（２６）は必らずしも第１１図の形状に合わせて形成する迄もなく、中子外容器（６０）の容器側壁をそのまま利用する事もできるので、この場合、これを省略してもよい。
【００４１】
この例でも第９図（第２実施例）に示す如くマジック板（３８）を底板（２５）下面に貼着した上、貼着面を利用して、所望の部材に固定しているが、勿論、固定方法はこれに限ったものではなく、接着剤や稔子止め、第１５図々示の孔挿し係着クリップ（３９）等在来の技術を用いてよい。
【００４２】
当然、接合を予定する容器底板（２５）等の相手面にも同じ手段を利用して接合固定しても可く、本発明の趣旨に、最も適した手法、手段を選択する。
【００４３】
この第２実施例保持装置では、第１実施例の前方第１抱持装片（２１）に相当するものを、例えば、ステンレス製の単一棒状部材（２１’）を折り曲げて加工する事により、第９図（斜視図）の通り、棒状左右支腕（２４’）（２４’）傾斜部が側方抱持片を、棒状水平横架部（２１’）が前方抱持片を形成すべく夫々構成し、巻囘体（１０）を収容部（３５）に収容した時、前後左右への移動を阻止する方法を採ってもよい。
【００４４】
この折曲棒状部材（２１’）でも固定部（３１）を底板（２５）に隅肉溶接して固定する際の溶接は在来の溶接法、例えば、単なる電気溶接（スポット溶接）や、アルゴン溶接等を必要に応じて選択採用する。
【００４５】
第１２図には保持装置（４５）をプラスチックで形成する別案（第４実施例）を示す。
この実施例では発泡プラスチック板（４６）には断面半円状溝（４７）（４７’）を形成している。
この溝（４７）は単一でも複数個でもよく、使い勝手により條数を選択する。巻囘体（１０）は予備品も含めてこの溝に一旦収納する。この第４実施例では、巻囘体（１０）は後述第２１図々示の如く保持装置（４５）に収納した上利用する事を前提とし、この保持装置（４５）には第１〜第３実施例の如く、巻囘体容器としての機能を持たせていないので構造は極めて単純なものとなっている。
この利用例については別途後述する。
【００４６】
第１３図には保持装置（５０）を金属線材で形成した例を第５実施例として示す。
第１３図にあって（５２）は中央補強部材で中央部に巻囘体（１０）固定補助及び巻囘体（１０）引出時の仮保持を行なう突起（５２’）を形成してあり、巻囘体（１０）収納用凹窪部を形成すべくした、架橋線状体（５６）（５６）（５６）（５６）の弧状部（５６’）（５６’）（５６’）（５６’）を等間隔に保持できる様に、交叉部を夫々弧状凹窪部に溶接等により固定してある。猶、この凹窪部を一体成型技法により、プラスチック被覆を行なうと巻囘体保持及び補強の効果が増強される。場合によっては発泡プラスチックを用いてもよい。側部にはやはりこの保持装置（５０）を後述の如く中子外容器（６０）に収納する際に、巻囘体（１０）を弾性保持可能とすべく弾性保持部（５３）、（５３）（５４）（５４）を補強線材（５５）（５５）（５５）（５５）（５７）（５７）と共に形成している。
この第５実施例も第４実施例と同じく巻囘体保持容器としての機能は持たせ、しかも極めて単純な構造としてある。
この利用例については別途後述する。
【００４７】
保持装置をプラクチックで形成する第３実施例を第１４図で説明する。
【００４８】
この例では発泡スチロール板を側板（４１）（４１）として利用するもので、複数條溝（４２）（４２）を一面に設けた厚手板体を採用しており、各條溝（４２）（４２）は巻囘集合体（１０）の収納溝で原理的には條溝は１條あればよく、他は予備の巻囘体収納用である。
【００４９】
この例では、構造が単純であるが故に、極めて安直に形成可能であるだけでなく、必要に応じ、巻囘体（１０）の抱持手段としての條溝（４２）（４２）の他、筒状抱持容器（４０）に支持中子（４３）を併用する場合は、支持中子側に対する位置決め部材（４４’）や、固定手段（４４）等を一体的に側板（４１）の所望の側面に形成する事は容易に出来、これにより、全体の組立の際の、作業工数等の消滅が計れる効果がある。
【００５０】
第１４図において筒状保持容器（４０）は略々円筒状であるが、母線に沿って開放された間隙（４５）を設けてあり、間隙の略々中間位置には保持筒（４０）と同一材により筒状保持容器（４０）に一体形成された分離用尖端（２２）を設けている。
【００５１】
側板（４１）（４１）は、この筒状保持容器（４０）を保持する為の支持部材ともなっており、この第３実施例では筒状保持容器（４０）を挿着保持すべくした渦巻状溝（４２）（４２）を夫々の側板（４１）（４１）に設けこれに相応した形状の筒状保持容器（４０）端縁を挿入し保持筒（４０）自体の弾性（拡開力）を利用して弾力保持させている。
【００５２】
この保持を更に強固なものにする際は、更に稔子止めをするなり螺施状溝を側部に形成して螺着する等、在来の方法を採用してもよい。
【００５３】
又一方の抱持板（４１）は着脱方式を採らず筒状保持容器（４０）と一体成型した上、他方の抱持板（４１）のみを着脱方式としてもよい。
【００５４】
次に、巻囘体（１０）及びこれを保持する保持装置を搭載する中子外容器第１実施例（６０）、第２実施例（９１）、第３実施例（１１０）、第４実施例（１３０）について第１７〜２５図により説明する。
【００５５】
この第１実施例の中子外容器（６０）は前述各実施例で説明した保持装置及びこれに搭載する巻囘体（１０）より引き出した個別（塵入）袋（図示せず）の開口端縁掛止部（６２’’）、掛止部支承部（６２’’’’）、引出把手部（６２’’’）及び掛止部支承部（６２’’’’）を備えたた帯板（６２）を有する前面部（６２’）、側面部（６３）、底板部（６６）から成る。
【００５６】
第１実施例の中子外容器（６０）の底板部（６６）には第１７図第１８図図示の如く本案第１実施例から第５実施例に説明している保持装置（２０）を本願前述の如き方法又は従来の方法で固定すると共に、これに巻囘体（１０）を抱持させて利用する。
【００５７】
第１実施例中子外容器（６０）はこの儘々でも利用できるが、通常第１７図図示の如く紙片截断機（シュレッダー）（８０）を併設して利用する。
第１７図においては紙片截断機（８０）及びその制御装置内蔵部（８４）、紙片投入部（８５）を支持する外筺体（８１）の第１実施例である。底板（８７’）には蝶番（８７’’）囘動案内板（８７’’’）等が設けられ第１実施例の中子外容器（６０）の使い勝手を支援している。この第１実施例の中子外容器（６０）は第１実施例外筺体（８７）内で囘動させて上方開口部より紙屑を取出可能としている。
【００５８】
上記は第１実施例の外筺体（８７）に紙片截断機（シュレッダー）（８０）を支持併用した例を示しているが、単なる紙屑箱として用いる場合、紙片截断機（シュレッダー）（８０）を省略し、投入部（８５）を単に蓋板で施蓋する構成の別案の外筺体（８７’）は本案第２実施例（図面省略）として此処に挙げる。
【００５９】
紙屑箱として用いる第３実施例を第２０図、第２１図に示す。この実施例では第１２図保持装置を適用している。
第２０図は紙屑箱の中子外容器（９１）の実施例である。この第３実施例中子外容器（９１）は線材フレーム（９２）により略々立方体を形成している。（９３）は第３実施例中子外容器（９１）押動用把手部である。底部（９４）は保持装置を戴置する基台板であるが前述説明の第１２図、第１３図の実施例４、５を用いる場合は板状でなく、フレーム構造のままであってもよい。（９５）は囘動輪で第３実施例外容器中子（９１）を第３実施例の外筺体（１０１）（第２１図参照）内に移動収納を容易にしたものであり、必要に応じ採用する。
第２１図は第３実施例の外筺体（１０１）を説明する図である。第３実施例の外筺体（１０１）は開口部（１０４）を施蓋する蝶番（１０９）に支持された天蓋（１０３）を有している。同じく、蝶番支持された前面扉（１０２）が開口部（１０７）を施蓋している。
底板（１０６）は必要に応じ設ける囘動輪付の支持脚（１０５）、固定脚（１０５’）があるが、これらは通常は側板（１０８）下部に設け、第３実施例の外容器中子（９１）の第３実施例の外筺体（１０１）内への進入を妨げない様に配置する。
なお、第１３図に説明した保持装置（５０）を第１２図の保持装置（４５）に代えて適用する時は第１３図における前案保持装置（９４）に代えた態様で外容器中子（９１）内に装着する。（第２０図参照）ただ、第１３図図示の儘々で外容器中子（９１）内に装着する際第１３図に説明する保持装置（５０）は上下逆に図示してあるので、実際の装着時は上下が第１３図と逆向に外容器中子（９１）に取り付ける事となる。
【００６０】
第１９図は巻囘体（１０）の一部を開いて外容器中子（９１）の線材フレーム（９２）に装着すべくした概念を示すもので上方開口部折返し片（１０’）は外容器中子（９１）の上部フレームで支承する。この手法は第１８図図示の中子外容器（６０）でも同様に実施する事ができるもので、この例では、折返し片（１０’）は開口端縁掛止部（６２’’）に支承される様になっている。
【００６１】
第２２図により、第３実施例の中子外容器（１１０）につき説明する。
この中子外容器（１１０）は上面視Ｃ字状ステンレス製中空棒材の第１横架フレーム（１１２）、同第２横架フレーム（１１２’）、同第３横架フレーム（１１２’’）とこれを支える同じくステンレス製中空棒材の第１垂直支柱（１１３）同第２垂直支柱（１１３’）及びステンレス製網目状側板（１１４）（１１４’）を支持すると共に横架フレーム（１１２）（１１２’）（１１２’’）を支持する垂直支柱（１１６）（１１６’）（１１６’’）（１１６’’’）を有する。
【００６２】
各横架フレームと各垂直支柱はアルゴン溶接されると共に基台（１１８）の側壁（１２１）所定部と垂直支柱下端はアルゴン溶接されている。支柱（１１３）（１１３’）には中子外容器の利用目的を表示する表示板（図示せず）を支持する支持筒（１２０）（１２０）が溶接されている。
【００６３】
側面板（１１４）は本案では網目状のものを採用しているが、これに限らず単なる板材でも可くフレーム（１１２）（１１２’）（１１２’’）（１１２’’’）に囲繞された空間に収容されるゴミ袋がその自重により中子外容器の外へ膨出する事を抑制する為のものである。
【００６４】
又支柱（１１６）（１１６’）（１１６’’）（１１６’’’）には単一袋の開口部折返し部を棒材フレーム（１１２）に係止させた時この単一袋のずり落ちを抑止する目的で設けた単一袋抑え（１１５）を取付ける為の支持ブラケット（１１７）（１１７’）（１１７’’）（１１７’’’）を溶接して設け、これに転動可能に設けた前述単一袋抑え（１１５）（１１５’）を取付け、前記係止させた単一袋を固定すべくしている。
【００６５】
第２３図、第２４図は第３実施例中子外容器の基台（１１８）の斜視図である。基台側板（１２１）には支柱（１１３）（１１３’）の溶接部（１２２）及びキャスター（１２２）（１２２’）（１２２’’）（１２２’’’）取付用ブラケツト（１２３）（１２３’）（１２３’’）（１２３’’’）が固着されており、夫々、所定部にキャスター取付部がある。
【００６６】
側方部材（１２６）、前方部材（１２７）、後方部材（１２８）と底板（１２５）に囲繞されて形成される巻囘体保持装置（１２４）がある。
【００６７】
天蓋（１１９）には単一袋分離用部材（１１９’）が設けられて居り、第２４図々示の如く、天蓋を施蓋した状態のまゝ巻囘体保持装置（１２４）に配置された巻囘体（１０）（図示せず）の始端にあたる単一袋を引出口（１２９）より引出した際、この分離用部材（１１９’）により巻囘体（１０）の残余部分と、この始端あたる単一袋とを分離し、しかもこの始端にある単一袋を取出す事ができる様になっている。
取出したこの単一袋は、前述棒材フレーム（１１２）の天部より装着し単一袋周縁折返し部を棒材フレーム（１１２）上に係止し第２２図々示の単一袋抑え（１１５）（１１５’）で掛止めし、供用する。
【００６８】
この基台（１１８）は必要に応じ、第２５図の基台（１３８）の如く棒材フレーム（１１２）に対して９０度方向にずらせたり、１８０度ずらせた態様で取付けてもよい事は勿論である。
【００６９】
第４実施例の中子外容器（１３０）について説明する。この中子外容器（１３０）は第２１図実施例に近いものであって、基台（１３１）上に棒材で形成した構架フレーム（１３５）、同じく支持フレーム（１３６）を接合すると共に、棒状部材から成る、第１保持片（１３３）、板状部材から成る第２保持片（１３４）を基台（１３１）に接合して構成した巻囘体収容部（１３７）を有する巻囘体保持装置（１３２）を設けている。この案では基台（１３１）にキャスターを設ける事は想定していないが、必要に応じて設けてもよい。
【００７０】
一点鎖線図示の外筺体（１５０）は前方開口部（１５４）を前扉（１５１）で開閉蓋自在になる如く形成されていて前扉（１５１）と外筺体（１５０）の前方底縁には蝶番（図示せず）接合となっていて、前扉は此処で前方に開蓋可能になっいる。勿論、横部に蝶番を取付け開閉する構造としても構わない。開口部（１５２）は廃棄物投入口であって、１〜２筒、前扉上に配設し、外方上部に前庇（１５３）等をもうけると開口部（１５２）を半閉塞状とする事が出来外筺体（１５０）内を覗き込み難くなるので体裁良く利用できるものとなる。
【００７１】
基台（１３１）に設置したフレーム構造体や保持装置（１３２）は第２５図々示の如く、外筺体（１５０）の図示せぬ底板上に載置して利用する事は勿論、外筺体底板に代えて基台（１３１）上部外側に外筺体（１５０）を嵌込み利用する様にしてもよい。又、この外筺体（１５０）内に本案中子外容器（１３０）に代えて第３実施例の中子外容器（１１０）を配置して利用しても可い。又、中子外容器だけでなく、保持装置や、外筺体等夫々本願開示の技術を、適宜、組合わせて利用する事は本願請求の範囲に含まれるものである。
【図面の簡単な説明】
【第１図】本案巻囘体第１実施例の具体的構造を示す図である。
【第２図】本案巻囘体仕上り状態の端部を固定する締付片（シール材）の第１実施例図である。
【第３図】本案巻囘体の巻上状態での端部を固定する締付片（シール材）の適用例図である。
【第４図】本案巻囘体の巻上状態での端部を固定する締付片（シール材）の第２の適用例図である。
【第５図】本案巻囘体の第２実施例の具体的構造を示す図である。
【第６図】本案巻囘体保持装置の第１実施例を示す図である。
（箱型保持装置）
【第７図】本案巻囘体保持装置の第２実施例の前面視を示す図である。
【第８図】本案第２実施例（第７図）の側面視図である。
【第９図】本案巻囘体保持装置の第２実施例の斜視図である。（１部切欠図示）
【第１０図】本案巻囘体保持装置の第２実施例の棒状部材固定部の取付を説明する図である。
【第１１図】本案巻囘体保持装置の第３実施例を示す図である。（１部切欠図示）（箱型保持装置）
【第１２図】本案巻囘体保持装置の第４実施例を示す図である。
【第１３図】本案巻囘体保持装置の第５実施例を示す図である。
【第１４図】本案巻囘体保持装置の第６実施例を示す図である。
【第１５図】巻囘体保持装置を外筺体等の他の装置や部材と固定する手段（係着クリップやマジック板）の例を示す図である。
【第１６図】クリップ・ヒンジにより天蓋、本体間の連結をする様子を説明する図である。（第１１図関連）
【第１７図】紙片截断器（シュレッダー）等に用いる本案第１実施例及び第２実施例の外筺体と第１実施例の中子外容器（６０）を説明する斜視図である。
【第１８図】本案中子外容器第１実施例の構成を説明する斜視図である。
【第１９図】本案巻囘体より布袋袋をほどき出した状態を例を説明する斜視図である。
【第２０図】本案中子外容器の第２実施例を説明する図。
【第２１図】上記本案中子外容器の第２実施例（第２０図）と関連する第３実施例外筺体の説明図。
【第２２図】本案中子外容器の第３実施例を説明する斜視図。
【第２３図】本案中子外容器の第３実施例の基台の構造を説明する斜視図。
【第２４図】上記中子外容器の第３実施例の基台の天蓋を閉じた状態を示す斜視図。
【第２５図】本案の第４実施例の中子外容器及び第４実施例外の筺体と第４実施例の中子外容器の関係を示す図。（１部切欠図示）
【第２６図】本案の第４実施例外筺体。
【符号の説明】
（予備）連続巻囘体　　１０
保持装置　　　２０
外容器　　　　６０
【図１】
2004075378.tif 000003
【図２】
2004075378.tif 000004
【図３】
2004075378.tif 000005
【図４】
2004075378.tif 000006
【図５】
2004075378.tif 000007
【図６】
2004075378.tif 000008
【図７】
2004075378.tif 000009
【図８】
2004075378.tif 000010
【図９】
2004075378.tif 000011
【図１０】
2004075378.tif 000012
【図１１】
2004075378.tif 000013
【図１２】
2004075378.tif 000014
【図１３】
2004075378.tif 000015
【図１４】
2004075378.tif 000016
【図１５】
2004075378.tif 000017
【図１６】
2004075378.tif 000018
【図１７】
2004075378.tif 000019
【図１８】
2004075378.tif 000020
【図１９】
2004075378.tif 000021
【図２０】
2004075378.tif 000022
【図２１】
2004075378.tif 000023
【図２２】
2004075378.tif 000024
【図２３】
2004075378.tif 000025
【図２４】
2004075378.tif 000026
【図２５】
2004075378.tif 000027
【図２６】
2004075378.tif 000028
【手続補正書】
【提出日】平成14年12月19日(2002.12.19)
【手続補正１】
【補正対象書類名】明細書
【補正対象項目名】全文
【補正方法】変更
【補正の内容】
【発明の詳細な説明】
【特許請求の範囲】
【請求項１】プラスチック薄板より成る連続袋巻囘体と、該巻囘体を収容保持すると共に外筺体開口部より該巻囘体中の一袋を取出す時該巻囘体がその収容部より離脱する事を抑止しつつ所望の一袋のみ分離し得べくしてなる手段及びこの手段を固定する手段とを具備してなる巻囘体保持装置と、該巻囘体保持装置に該巻囘体を保持させると共に収容体に内装し、該巻囘体より取出した袋体の開口端縁を着脱可能に所定部位に係着せしめて供用すべくしてなる廃棄物受容装置
【考案の詳細な説明】
【０００１】
【考案に属する技術分野】
この考案はインフレーション加工により形成される（イ）断面円環状樹脂連続袋の巻囘集合体、就中、巻付芯材を有しない巻囘集合体と、（ロ）この巻囘集合体を抱持すると共に必要に応じて巻囘集合体から所望の袋を、順次、引き出しながら取り出す操作をする際、その袋を巻囘集合体から分離可能となるべく設けられた抱持片とを少なく共、備えた巻囘集合体保持装置と（ハ）この巻囘集合体保持装置を容器内部に設置したゴミ受け容器と（ニ）このゴミ受け容器を併用してなる機器、例えば、文書細断機（シュレッダー）等に関する。
【０００２】
【従来の技術】
断面円環状樹脂連続袋の巻囘集合体、就中、巻付芯材を有しないものに関する提案は本発明者が既に実公昭５９−４９２５として権利取得済みのものを含めて、他者よりも数件行われて来ているが、これらはいずれも巻囘集合体を形成する事にのみ視点を置いたものであり、巻囘集合体を保持装置や収容体と関連づけて使い勝手を改善すると言う観点が希薄であった為、巻囘集合体の引き出し端縁に迄及んだ改善に対する配慮が充分であったとは言い難いものであった。
【０００３】
巻囘集合体の保持装置に関する提案は従来より、特開昭５８−１４４００１他２０余件が提案されて来ている。しかし、これらの提案はいずれも保持装置自体複雑な構造であり、製造（加工工程）が複雑となるものであって、製造工数の増大や、部品点数の増加に伴う製造費用の上昇が避けられないものであった。
それ許りか、これらが原因となる装置自体の信頼性も不充分なものとなって、くり返し使用すると、使用上の難点、例えば、所望しない袋迄、吐き出してしまうとか、袋を引き出す際に、保持装置の袋取出部分に袋側端縁が引掛るとかの不都合が生ずるものであった。
【０００４】
巻囘集合体保持装置を容器内部に設置する形態のゴミ容器は上記、特開昭５８−１４４００１、実開平２−２６００３等１０余件が提案されているが、これらはいずれも容器内に保持装置を固定する方法に難があり、利用者にとって固定手段の取扱いが困難だったり着脱自在でありながら、安定的に容器内に固定でき、かつ信頼性ある供用に耐えると言う面で効果を発揮していなかった。
【０００５】
文書細断機の紙片屑受け装置として特開平３−２７８８４７が提案されている。この方法ではカートリッジ式の巻囘集合体保持装置に特徴があり、発想の原点としては実開昭５８−１６６５０３に近いものと言えるが、この案ではカートリッジの固定手法に改良を加えたものとも見受けられる。残念乍ら、この案ではそれなりの効果はあっても、カートリッジ自体の構造の複雑さから来る製造費用の増大と、容器自体の側面の透孔形成の為の加工費増、これによる容器自体の構造上の弱体化等が避けられない。
【０００６】
【考案が解決しようとする課題】
この考案では前述在来技術の諸難点を改善するものであって次の（イ’）〜（ニ’）を含む。
【０００７】
（イ’）断面円環状の樹脂製連続袋の巻囘集合体であって、単体の儘でこれを利用する際には纏まりがよく、かつ、使い勝手に優れ、保持装置に装填する際、収まりが良く、所望の袋を取り出す操作を円滑に行える様にしたものを提案する。
【０００８】
（ロ’）断面円環状の樹脂製連続袋の巻囘集合体を保持する装置であって、この巻囘集合体を擁した状態での単独利用する際には纏まりがよく、所望の袋をこの巻囘集合体より分離して取り出す際に、確実に分離する手段を備え、かつ、巻囘集合体の残余部分の逸脱を抑制する構成をとる装置を提案し、使い勝手を改良している他、容器内に容易に取り付けるようにした取付手段により、安直、かつ、確実な容器内固定を可能にして一層の供用の便を計っている装置も提案する。
【０００９】
（ハ’）断面円環状の樹脂製連続袋の巻囘集合体から所望袋を分離し、分離された袋を採り上げ、容器に保持させて、ゴミ入れとしてこの袋を供用できる様にし、利用者が袋が満杯になった事を知って廃棄する際、容易に新しい袋を供給できる様にし、しかも製造組立が容易なゴミ容器を提案する。
【００１０】
（ニ’）文書細断機は一度に大量の紙片屑を発生するものであるが、その処理に際しては、紙片屑収容袋は欠かせないものであり、この場合、紙片屑収容袋を連続的に供給可能とすると使い勝手が向上するものであるが、この考案では、此種、使い勝手が良い廉価で簡便な紙片屑受けを備えた文書細断機への応用をも提案する。
【００１１】
【課題を解決する手段】
前述（イ’）〜（ニ’）の課題を解決する為、本考案では、夫々（イ’）〜（ニ’）に対応する（イ’’）〜（ニ’’）の要旨、次の構成の要素技術を採用する。
【００１２】
（イ’’）巻囘集合体：巻囘集合体（１０）は形成過程で第５図々示の通り側縁部に連続補強材（８）添設をおこなうか、集合体形成の最終段階で、第３図第４図の通り端縁補強を兼ねた締付片（シール材）（６）（６’）を添設するもので、締付片（シール材）（６）（６’）には、引き剥がし容易な接着剤（５）を予め添付しておく。
又、巻囘集合体（１０）を形成する原材料としては、紙、特にクラフト紙等でもよいが、通常は樹脂フィルムを用いる。
これらは、第１段階で断面円環状となる如くに加工を施し、次いで巻囘体（１０）から分離後、単一の袋（１）を布袋袋に仕上げたい場合は、予め、必要に応じて側方の挟み折り加工（ガゼット加工）（１１）（１１）を施こす。
更に所望の位置で、袋形成の為の熱溶着部（４）と、集合体形成後の袋切離しを容易にする為のミシン目（２）加工（パーフォレーション）を行うのであるが、この考案の袋では、更に、ミシン目の一部分に分離を容易にすべく、引き裂き支援の為の長孔型間隙（３）をミシン目上に重畳して形成している。
【００１３】
この引き裂き支援間隙（３）は後述する袋分離手段としての尖端（２２）を此処に受容した上で、袋（１）に引張力を加えると容易に、ミシン目（２）に沿った袋分離を行い得る構成となっている。
又、袋（１）は、必ずしも、布袋袋態様で形成された筒状体から形成されるものでなくても可いが、此処では、単体袋自体の使い勝手の関係から最終単体袋が布袋袋となる連続複数袋巻囘体を得る目的で、予め、布袋袋構成の筒状体を用い、袋底形成溶着部及び引き裂き支援間隙（３）を含むミシン目を介して、所望袋数相当分だけを形成して、図示せぬ巻取機の巻芯の周りに巻き上げ形成される。
【００１４】
此様にして形成された巻取機の巻芯から外された状態の複数連続袋巻囘体（１０）では、仕上がり状態で通常は用いられる紙製等による芯管（図示せず）をもたず、この為、巻囘体（１０）形成時に手間仕事であった巻囘体（１０）形成毎の芯管（図示せず）を巻上機芯部への装着を予め行なう必要がなくなる事となり、加工費を削減できるものとなる。
【００１５】
巻囘体（１０）としては通常、この状態で供用し得る事となるのであるが、特に、布袋袋として形成してある巻囘体（１０）は巻上径が大きくなると型崩れが生じ易くなる事があるので、必要に応じて側縁に、第５図々示の通り仮接合を可能とする接着剤を添付したクラフト紙等から成る細幅の帯状体（８）を添着させて、これを防ぐ等の手段を設けてもよい。
【００１６】
（ロ’’）巻囘体保持装置：前記巻囘体（１０）は単体で用い得る事は勿論であるが、この考案では、この巻囘体（１０）の使い勝手を更によくする目的で、巻囘体（１０）の取付、固定を容易にすると共に、所望の単一の袋を巻囘体から分離するための手段をも擁する巻囘体保持装置（２０）を設ける。
【００１７】
保持装置の第１実施例は第６図により、第２実施例は第７図、第８図以下は夫々、第３実施例は第１１図、第４実施例は第１２図、第５実施例は第１３図、第６実施例は第１４図に示し、夫々、後述するが、此処では第１実施例に基づき概説する。即ち、この第１実施例の巻間体保持装置（２０）は前方（２１）及び側方（２６）両部材より成り、それぞれ前記巻囘体（１０）を抱持すべく配置する。これら部材中、前方部材（２１）は巻囘体（１０）の始端引出口を構成すると共に、所望の単一袋（１）分離用の手段（２２）を引出口縁に形成する。前記巻囘体（１０）は、これらの部材に保持固定される態様で供用される。
【００１８】
巻囘体（１０）の始端は、これを巻抑えしている端縁補強シール材（６）を、まず、引き剥がし、この部分を案内手段として、保持装置（２０）の引出口（２８）縁に挿通し、最初の分離を予定する単一袋（１）に関する装着を完了させ、後続の袋は最初の袋が引出分離されると、順次、引き続き連続的に引出口に現れるべく形成する。
【００１９】
（ハ’’）容器装置：第６図、第１１図、第１４図の各実施例では前述保持装置（２０）とを兼用する例であるが、此処では、第６図の実施例により概説する。即ち、前述の巻囘体（１０）を備えた容器装置（３０）は、巻囘体（１０）から分離される単一袋（１）をゴミ屑用袋として供用する際、このゴミ屑用袋を容器装置（３０）内側に装着して収容するものである。
これと同時に前記ゴミ屑用袋（１）を巻囘体（１０）としたものを、この容器装置（３０）内側が側方抱持片（２４）（２４）前方抱持片（２１）（２３）後方抱持片（２６）により巻囘体保持装置を実質的に形成しているので巻囘体（１０）を容器装置（３０）内に収容すると、ゴミで満杯になったゴミ屑袋（１）を外へ捨てた後は、次に用いる袋が後述する第１７図、第１８図第２０図、第２１図々示の中子外容器内（６０）の巻囘体保持装置（２０）に抱持された状態にある巻間体（１０）から、分離取得され得るべく常に準備されている態様で中子外容器内（６０）に収容しておくことが可能となっているもので、袋（１）の供給を容易とする使い勝手のよいものとする事ができるのである。
【００２０】
（ニ’’）前記中子外容器（６０）を文書細断機の紙片屑収容袋（１）の保持容器として応用する際は、文書細断機の紙片屑処理を容易にしようとするものである。
【００２１】
【考案の効果】
上記巻囘体は、単体の儘、図示せぬ筒状外皮に収容し、単一の商品として、販売に供し得るだけでなく、前記保持装置（２０）に前記巻囘体（１０）を収容する態様の儘々でも単一の商品として販売に供え得る。
即ち、前記保持装置（２０）はゴミ入り袋収容の為の容器装置（３０）内に設置してこの状態で使い勝手の良い単体のゴミ入り袋収容の為の容器装置（３０）として供用する事もできる。
【００２２】
又、上記ゴミ入り袋収容の為の容器装置（３０）は文書細断機の紙片屑収容袋の保持容器としても応用可能で、文書細断機の紙片屑処理を容易にするものとして供用できる。
【００２３】
【実施例】
（イ）巻囘体（１０）の実施例について説明する。
第１図〜第５図は本考案袋及びその巻囘体（１０）の構成実施例を説明する図であって、第１図は布袋（ホテイ）袋状の前記単体袋（１）を得る為の巻囘体（１０）の一部をほどいて図示した斜視図である。この袋の材質は樹脂、例えばポリエチレンの薄膜フィルムを断面円環状とした連続円筒体を加工開始材料として、加工中間工程で狭幅化手段としてホイール体を対向配置したゲートを通過させる間で、ガゼット化折畳み加工を加え、単体袋が加工前に連続帯状体に形成したものに分離用ミシン目（２）同袋分離支援間隙（３）、単体袋（１）と化した時の袋底形成用溶着帯部（４）加工を施こしたものである。猶、第４図は巻囘体（１０）の締付片（６）（シール材）の変形例である。
【００２４】
又、この端縁（７）には、巻囘体（１０）巻囘形成された後、容易にはほぐれない様にする為、締付片（６）、（６’）、（６’’）を添着する。単に端縁（７）を固定するだけならば市販の粘着テープでもよいが、この締付片（６）、（６’）、（６’’）は接着剤塗布部（５）及び接着剤が塗布されていない引き剥がし部（９）、（９’）、（９’’）を設け、塗布部は巻囘体端縁（７）の巻囘体側に固定さす事に役立て、引き剥し部（９）、（９’）、（９’’）は、巻囘体（１０）をほぐす際に役立てると共に、この部分（９）、（９’）、（９’’）自体は後述する巻囘体抱持装置（２０）に巻囘体を抱持させた上で、単体化する袋（１）を分離して取り出す為、取出口（２８）へ挿通させる案内片としても利用できるようにしたものである。
【００２５】
この締付片（６）、（６’）、（６’’）等の実施例形状は、第２図、第３図、第４図に示す通りのものであるが、これらに限らず、案内片としての効果さえ発揮可能な形でありさえすれば断面三角形状、矩形状のものであっても構わず、又、材質も、プラスチックや紙であっても構わないし、又、第２図実施例と第３図、第４図実施例との組合わせを夫々変更しても構わない。
【００２６】
分離支援間隙（３）はミシン目（２）列と重畳位置にあればよく、数は１ヶ所と限らないが、本実施例ではガゼット（１１）（１１）を避けた位置に、ミシン目（２）列上にミシン目加工工程と同一工程で形成させている。
【００２７】
溶着帯部（４）は通常、熱棒溶着又は高周波溶着により形成するものであって、この場合、ガゼット（１１）（１１）部分も溶着帯を図示の如く共通的に形成する。
【００２８】
本実施例で連続帯状体（１２）を巻囘体（１０）化するには巻上機（図示せず）の巻芯周囲に連続帯状体（１２）端部を巻き付けて、巻き上げるだけであって、材料費や加工費の低減を計る目的で通常行う紙製巻芯は利用しない。
【００２９】
第５図に示す実施例は、ガゼット側縁の内側にクラフト紙の補強帯（８）を設けた例である。クラフト紙は表面滑度が、一般に、ポリエチレン等の樹脂より粗であるので帯状体（１２）を巻囘する際、比較的固く巻き上げる事ができる上、巻上きげ状態で形崩れがおこりにくい利点を有するので、この実施例の巻囘体は比較的太巻きの巻囘体を形成するのに適している。
【００３０】
この補強帯（８）は断面円環状連続円筒体の正ガゼット加工前、又は、正ガゼット加工中に添接する。
接合は、予め、接着剤をクラフト紙の接合面に塗布したものを用い、この際、接着剤接着強度は巻囘体供用時にクラフト紙が容易に剥離できる程度とする。
【００３１】
巻囘体（１０）の完成品を単体でそのまま市販するには、本体のほこり汚染保護や、締付片（９）、補強帯（８）に用いる接着剤の接着力保護の為、フィルム円筒体や防湿紙（筒）等で適宣、被覆保護をする。
【００３２】
（ロ）保持装置（２０）の実施例について説明する。
第６図は本考案の箱型保持装置の第１実施例を示すものである。
この装置では、利用時には、さして、大きな力が加わらないので、使用材料はプラスチックでも構わないが、説明の都合上、鉄板等の金属板を用いて形成している例である。
【００３３】
この第１実施例では、第６図に示す通り前方第１抱持片（２１）、前方第２抱持片（２３）、側方抱持片（２４）（２４）、前方第１抱持片中央部に一体形成された連続袋分離用尖端片（２２）、底板（２５）、後方抱持片（２６）から成る。第７図第８図は各部材前方第１抱持片（２１）、側方抱持片（２４）（２４）、連続分離用尖端片（２２）を棒材で構成したものであるが板材で置換したものを第６図で採用しているので、この点の相違を除けば各部材の位置関係は第７図、第８図と同位置関係に構成している。
【００３４】
即ち、第８図々示の如き位置関係で前方抱持片（２１）の上端縁と尖端片（２２）の下端間は上下方向には、略々、同一位置とするか、抱持片（２３）の位置の方が側面視で尖端片（２２）の下端より高い位置に来る様に設定した態様で前述の巻囘体端縁の挿通開口部（２８）を板材により形成する。
又、前方第２抱持片（２３）の切起し位置は、前方第１抱持片（２１）の垂下位置より内方に位置するよう設定する。
【００３５】
巻囘体（１０）を収容部（３５）に収容した後、巻囘体（１０）の端縁（９）（９’）の挿通を容易にすると共に、該端縁（９）（９’）挿通後、上方への引張力を付与すると共に尖端片（２２）が分離支援間隙（３）と掛合し、巻囘体（１０）のミシン目（２）に添って所望の単一袋体（１）が容易に分離されることとなるものである。
【００３６】
第９図には保持装置（２０）を金属板と棒状体とで構成する第２実施例細部を示す。前第１実施例で前方第１抱持片（２１）に相当するものは、例えば、ステンレス製の単一棒状部材を折り曲げ加工により、第９図（斜視図）の通り、棒状左右支腕（２４’）（２４’）が側方抱持片を、棒状水平横架部（２１’）が前方抱持片を形成するように夫々構成し、巻囘体（１０）を収容部（３５）に収容した時、前後左右への移動を阻止する。
この折曲棒状部材は固定部（３１’）を底板（２５）に隅肉溶接して固定しているが溶接は在来の溶接法、例えば、単なる電気溶接（スポット溶接）や、アルゴン溶接を用いる。
分離用尖端（２２’）は、この棒状部材の一部であって、水平横架部の中点近傍を実施例図の通りに折り曲げ形成する。
【００３７】
この固定部（３１’）は、第１０図に示す如く、一部に湾曲突起部（２１’’）を形成し、これを底板（２５）又は後述する容器底板（２５）から切起し形成した係止部（２８）に挿着係止する方法を用いてもよい。
この保持装置（２０）は第６図々示の該当対応部材を相互置換させた態様で形成利用する。
【００３８】
第１１図には容器装置兼保持装置の第２実施例である。この例に応用する収納容器（３５）は第６図（第１実施例）中に鎖線で表示した部分（側板等）とは共通的な構造であるが、天蓋（３１）は断面は一部（３２）は弧状に形成されている。
【００３９】
この実施例の装置の収納容器（３５）は前方第２抱持片（２３）、底板（２５）は金属単板を折り曲げ形成するもので、必要に応じ、第６図実施例と同様の後方抱持片（２６）を形成しようとする場合はこれも併せて折り曲げ形成する。これに図示の如き天蓋（３１）を、金属板で形成する時は通常供用される蝶番を、プラスチックで形成する時はクリップ・ヒンジ（３２）（３３）により第１６図に示す如く可囘動的に係着施蓋して単体容器の態様で販売することができる。この形状のまゝ、第１、第２実施例共巻囘体（１０）収納装置として単体又は巻囘体（１０）を収納した状態で市販に供用できるものである。
【００４０】
一方、後述の如く、この収納容器（３５）及び天蓋（３１）等から成る装置を第１７図第１８図の如く、中子外容器（６０）等の外包体容器中に装着利用しようとする場合は、天蓋（３１）は用いなくとも、その目的は達成可能であるし、更に同様に後方抱持片（２６）は必らずしも第１１図の形状に合わせて形成する迄もなく、中子外容器（６０）の容器側壁をそのまま利用する事もできるので、この場合、これを省略してもよい。
【００４１】
この例でも第９図（第２実施例）に示す如くマジック板（３８）を底板（２５）下面に貼着した上、貼着面を利用して、所望の部材に固定しているが、勿論、固定方法はこれに限ったものではなく、接着剤や稔子止め、第１５図々示の孔挿し係着クリップ（３９）等在来の技術を用いてよい。
【００４２】
当然、接合を予定する容器底板（２５）等の相手面にも同じ手段を利用して接合固定しても可く、本発明の趣旨に、最も適した手法、手段を選択する。
【００４３】
この第２実施例保持装置では、第１実施例の前方第１抱持装片（２１）に相当するものを、例えば、ステンレス製の単一棒状部材（２１’）を折り曲げて加工する事により、第９図（斜視図）の通り、棒状左右支腕（２４’）（２４’）傾斜部が側方抱持片を、棒状水平横架部（２１’）が前方抱持片を形成すべく夫々構成し、巻囘体（１０）を収容部（３５）に収容した時、前後左右への移動を阻止する方法を採ってもよい。
【００４４】
この折曲棒状部材（２１’）でも固定部（３１）を底板（２５）に隅肉溶接して固定する際の溶接は在来の溶接法、例えば、単なる電気溶接（スポット溶接）や、アルゴン溶接等を必要に応じて選択採用する。
【００４５】
第１２図には保持装置（４５）をプラスチックで形成する別案（第４実施例）を示す。
この実施例では発泡プラスチック板（４６）には断面半円状溝（４７）（４７’）を形成している。
この溝（４７）は単一でも複数個でもよく、使い勝手により條数を選択する。巻囘体（１０）は予備品も含めてこの溝に一旦収納する。この第４実施例では、巻囘体（１０）は後述第２１図々示の如く保持装置（４５）に収納した上利用する事を前提とし、この保持装置（４５）には第１〜第３実施例の如く、巻囘体容器としての機能を持たせていないので構造は極めて単純なものとなっている。
この利用例については別途後述する。
【００４６】
第１３図には保持装置（５０）を金属線材で形成した例を第５実施例として示す。
第１３図にあって（５２）は中央補強部材で中央部に巻囘体（１０）固定補助及び巻囘体（１０）引出時の仮保持及び単体袋切離しを行なう突起（５２’）を形成してあり、巻囘体（１０）収納用凹窪部を形成すべくした、架橋線状体（５６）（５６）（５６）（５６）の弧状部（５６’）（５６’）（５６’）（５６’）を等間隔に保持できる様に、交叉部を夫々弧状凹窪部に溶接等により固定してある。猶、この凹窪部を一体成型技法により、プラスチック被覆を行なうと巻囘体保持及び補強の効果が増強される。場合によっては発泡プラスチックを用いてもよい。側部にはやはりこの保持装置（５０）を後述の如く中子外容器（６０）に収納する際に、巻囘体（１０）を弾性保持可能とすべく弾性保持部（５３）、（５３）（５４）（５４）を補強線材（５５）（５５）（５５）（５５）（５７）（５７）と共に形成している。
この第５実施例も第４実施例と同じく巻囘体保持容器としての機能は持たせ、しかも極めて単純な構造としてある。
この利用例については別途後述する。
【００４７】
保持装置をプラクチックで形成する第３実施例を第１４図で説明する。
【００４８】
この例では発泡スチロール板を側板（４１）（４１）として利用するもので、複数條溝（４２）（４２）を一面に設けた厚手板体を採用しており、各條溝（４２）（４２）は巻囘集合体（１０）の収納溝で原理的には條溝は１條あればよく、他は予備の巻囘体収納用である。
【００４９】
この例では、構造が単純であるが故に、極めて安直に形成可能であるだけでなく、必要に応じ、巻囘体（１０）の抱持手段としての條溝（４２）（４２）の他、筒状抱持容器（４０）に支持中子（４３）を併用する場合は、支持中子側に対する位置決め部材（４４’）や、固定手段（４４）等を一体的に側板（４１）の所望の側面に形成する事は容易に出来、これにより、全体の組立の際の、作業工数等の消滅が計れる効果がある。
【００５０】
第１４図において筒状保持容器（４０）は略々円筒状であるが、母線に沿って開放された間隙（４５）を設けてあり、間隙の略々中間位置には保持筒（４０）と同一材により筒状保持容器（４０）に一体形成された分離用尖端（２２）を設けている。
【００５１】
側板（４１）（４１）は、この筒状保持容器（４０）を保持する為の支持部材ともなっており、この第３実施例では筒状保持容器（４０）を挿着保持すべくした渦巻状溝（４２）（４２）を夫々の側板（４１）（４１）に設けこれに相応した形状の筒状保持容器（４０）端縁を挿入し保持筒（４０）自体の弾性（拡開力）を利用して弾力保持させている。
【００５２】
この保持を更に強固なものにする際は、更に稔子止めをするなり螺施状溝を側部に形成して螺着する等、在来の方法を採用してもよい。
【００５３】
又一方の抱持板（４１）は着脱方式を採らず筒状保持容器（４０）と一体成型した上、他方の抱持板（４１）のみを着脱方式としてもよい。
【００５４】
次に、巻囘体（１０）及びこれを保持する保持装置を搭載する中子外容器第１実施例（６０）、第２実施例（９１）、第３実施例（１１０）、第４実施例（１３０）について第１７〜２５図により説明する。
【００５５】
この第１実施例の中子外容器（６０）は前述各実施例で説明した保持装置及びこれに搭載する巻囘体（１０）より引き出した個別（麈入）袋（図示せず）の開口端縁掛止部（６２’’）、掛止部支承部（６２’’’’）、引出把手部（６２’’’）及び掛止部支承部（６２’’’’）を備えたた帯板（６２）を有する前面部（６２’）、側面部（６３）、底板部（６６）から成る。
【００５６】
第１実施例の中子外容器（６０）の底板部（６６）には第１７図第１８図図示の如く本案第１実施例から第５実施例に説明している保持装置（２０）を本願前述の如き方法又は従来の方法で固定すると共に、これに巻囘体（１０）を抱持させて利用する。
【００５７】
第１実施例中子外容器（６０）はこの儘々でも利用できるが、通常第１７図図示の如く紙片截断機（シュレッダー）（８０）を併設して利用する。第１７図においては紙片截断機（８０）及びその制御装置内蔵部（８４）、紙片投入部（８５）を支持する外筺体（８１）の第１実施例である。底板（８７’）には蝶番（８７’’）囘動案内板（８７’’’）等が設けられ第１実施例の中子外容器（６０）の使い勝手を支援している。この第１実施例の中子外容器（６０）は第１実施例外筺体（８７）内で囘動させて上方開口部より紙屑を取出可能としている。
【００５８】
上記は第１実施例の外筺体（８７）に紙片截断機（シュレッダー）（８０）を支持併用した例を示しているが、単なる紙屑箱として用いる場合、紙片截断機（シュレッダー）（８０）を省略し、投入部（８５）を単に蓋板で施蓋する構成の別案の外筺体（８７’）は本案第２実施例（図面省略）として此処に挙げる。
【００５９】
紙屑箱として用いる第３実施例を第２０図、第２１図に示す。この実施例では第１２図保持装置を適用している。
第２０図は紙屑箱の中子外容器（９１）の実施例である。この第３実施例中子外容器（９１）は線材フレーム（９２）により略々立方体を形成している。（９３）は第３実施例中子外容器（９１）押動用把手部である。底部（９４）は保持装置を戴置する基台板であるが前述説明の第１２図、第１３図の実施例４、５を用いる場合は板状でなく、フレーム構造のままであってもよい。（９５）は囘動輪で第３実施例外容器中子（９１）を第３実施例の外筺体（１０１）（第２１図参照）内に移動収納を容易にしたものであり、必要に応じ採用する。袋切離突起（９６）を備えた横架部材（９７）は底部フレーム部材（９９）に両端が夫々固定されたコ字状部材（９８）の両角部に固定されている。
第２１図は第３実施例の外筺体（１０１）を説明する図である。第３実施例の外筺体（１０１）は開口部（１０４）を施蓋する蝶番（１０９）に支持された天蓋（１０３）を有している。同じく、蝶番支持された前面扉（１０２）が開口部（１０７）を施蓋している。
底板（１０６）は必要に応じ設ける囘動輪付の支持脚（１０５）、固定脚（１０５’）があるが、これらは通常は側板（１０８）下部に設け、第３実施例の外容器中子（９１）の第３実施例の外筺体（１０１）内への進入を妨げない様に配置する。
なお、第１３図に説明した保持装置（５０）を第１２図の保持装置（４５）に代えて適用する時は第１３図における前案保持装置（９４）に代えた態様で外容器中子（９１）内に装着する。（第２０図参照）ただ、第１３図図示の儘々で外容器中子（９１）内に装着する際第１３図に説明する保持装置（５０）は上下逆に図示してあるので、実際の装着時は上下が第１３図と逆向に外容器中子（９１）に取り付ける事となる。
【００６０】
第１９図は巻囘体（１０）の一部を開いて外容器中子（９１）の線材フレーム（９２）に装着すべくした概念を示すもので上方開口部折返し片（１０’）は外容器中子（９１）の上部フレームで支承する。この手法は第１８図図示の中子外容器（６０）でも同様に実施する事ができるもので、この例では、折返し片（１０’）は開口端縁掛止部（６２’’）に支承される様になっている。
【００６１】
第２２図により、第３実施例の中子外容器（１１０）につき説明する。この中子外容器（１１０）は上面視Ｃ字状ステンレス製中空棒材の第１横架フレーム（１１２）、同第２横架フレーム（１１２’）、同第３横架フレーム（１１２’’）とこれを支える同じくステンレス製中空棒材の第１垂直支柱（１１３）同第２垂直支柱（１１３’）及びステンレス製網目状側板（１１４）（１１４’）を支持すると共に横架フレーム（１１２）（１１２’）（１１２’’）を支持する垂直支柱（１１６）（１１６’）（１１６’’）（１１６’’’）を有する。
【００６２】
各横架フレームと各垂直支柱はアルゴン溶接されると共に基台（１１８）の側壁（１２１）所定部と垂直支柱下端はアルゴン溶接されている。支柱（１１３）（１１３’）には中子外容器の利用目的を表示する表示板（図示せず）を支持する支持筒（１２０）（１２０）が溶接されている。
【００６３】
側面板（１１４）は本案では網目状のものを採用しているが、これに限らず単なる板材でも可くフレーム（１１２）（１１２’）（１１２’’）（１１２’’’）に囲繞された空間に収容されるゴミ袋がその自重により中子外容器の外へ膨出する事を抑制する為のものである。
【００６４】
又支柱（１１６）（１１６’）（１１６’’）（１１６’’’）には単一袋の開口部折返し部を棒材フレーム（１１２）に係止させた時この単一袋のずり落ちを抑止する目的で設けた単一袋抑え（１１５）を取付ける為の支持ブラケット（１１７）（１１７’）（１１７’’）（１１７’’’）を溶接して設け、これに転動可能に設けた前述単一袋抑え（１１５）（１１５’）を取付け、前記係止させた単一袋を固定すべくしている。
【００６５】
第２３図、第２４図は第３実施例中子外容器の基台（１１８）の斜視図である。基台側板（１２１）には支柱（１１３）（１１３’）の溶接部（１２２）及びキャスター（１２２）（１２２’）（１２２’’）（１２２’’’）取付用ブラケツト（１２３）（１２３’）（１２３’’）（１２３’’’）が固着されており、夫々、所定部にキャスター取付部がある。
【００６６】
側方部材（１２６）、前方部材（１２７）、後方部材（１２８）と底板（１２５）に囲繞されて形成される巻囘体保持装置（１２４）がある。
【００６７】
天蓋（１１９）には単一袋分離用部材（１１９’）が設けられて居り、第２４図々示の如く、天蓋を施蓋した状態のまゝ巻囘体保持装置（１２４）に配置された巻囘体（１０）（図示せず）の始端にあたる単一袋を引出口（１２９）より引出した際、この分離用部材（１１９’）により巻囘体（１０）の残余部分と、この始端あたる単一袋とを分離し、しかもこの始端にある単一袋を取出す事ができる様になっている。
取出したこの単一袋は、前述棒材フレーム（１１２）の天部より装着し単一袋周縁折返し部を棒材フレーム（１１２）上に係止し第２２図々示の単一袋抑え（１１５）（１１５’）で掛止めし、供用する。
【００６８】
この基台（１１８）は必要に応じ、第２５図の基台（１３１）の如く棒材フレーム（１１２）に対して９０度方向にずらせたり、１８０度ずらせた態様で取付けてもよい事は勿論である。
【００６９】
第４実施例の中子外容器（１３０）について説明する。この中子外容器（１３０）は第２０図実施例に近いものであって、基台（１３１）上に棒材で形成した横架フレーム（１３５）、同じく支持フレーム（１３６）を接合すると共に、棒状部材から成る、第１保持片（１３３）、板状部材から成る第２保持片（１３４）を基台（１３１）に接合して構成した巻囘体収容部（１３７）を有する巻囘体保持装置（１３２）を設けている。この案では基台（１３１）にキャスターを設ける事は想定していないが、必要に応じて設けてもよい。
【００７０】
第４実施例の中子外容器の変形例（第５実施例）について第２７図（角体斜視図及び第２８図（組立図）により説明する。この実施例の中子外容器では袋装着枠体（１４５）、と袋装着枠体支承装置（１６０）が分離された構造となっている点及び袋装着を大袋で行う場合は１ヶ、小袋の場合は２ヶ同時に利用可能として
おり、外筺体（１５０）
【第２６図々示】の如く、２ヶの投入口（１５２）（１５２）を有するものに対応させる事ができる。
【００７１】
即ち、袋装着枠体支承装置（１６０）は、基台（１３１）に植設された金属製支持フレーム（１３６）上部に設けた左右１対の金属横架フレーム（１３５）（１３５）を有する。この横架フレーム（１３５）は外筺体（１５０）に固定する為の固定部材（１３８）（１３８）を有する。この横架フレーム（１３５）は滑動体抱持装置部材（１３９）（１３９）で挟持し、第２７図、第２８図図示の如く、蝶捻子（１４１）（１４１）（１４２）（１４２）で、螺着されている。この場合、前方の蝶捻子（１４１）（１４１）を螺着する相手はボルトを用いているが、後方の螺着相手は左右横架フレーム（１３５）（１３５）間に架橋された補強部材（１４０）であって、この両端には螺溝が付けられて蝶捻子（１４２）（１４２）を装着可能としている。同時に横架フレーム（１３５）外筺体固定部材（１３８）滑動体抱持装着部材（１３９）（１３９）には補強部材挿通孔（図示せず）が設けられ、蝶捻子を締込むと横架フレーム（１３５）外筺体固定部材（１３８）滑動体抱持部材（１３９）等が挾着固定されると同時に支承装置（１６０）の組立が強固なものとなる。
【００７２】
必要に応じ、左右側板（１４３）（１４３）後方側板（１４４）を支承装置（１６０）に取付る。此処で、基台（１３１）は第２５図々示の如く、厚手板体でなくとも、フレーム構造が充分強固なものであれば、第２７図々示如く、薄手の板体でも構わない。
【００７３】
滑動体抱持部材（１３９）は図示の如く断面が変形コ次状の金属製押出成型品である。後述の袋装着枠体（１４５）に設けた滑動体（１４６）（１４６）と動形状断面を有し、滑動体（１４６）（１４６）を抱持部材（１２９）が滑動体（１４６）（１４６）を嵌装抱持しながら抱持部材（１３９）内で滑動横行を可能な如くに、第２８図々示の通りに組立てる。
【００７４】
袋装着枠体（１４５）の滑動体（１４６）（１４６）の背面には夫々２本の支持フレーム（１４７）（１４７）都合４本が溶接固定されており、夫々の支持フレーム上端には、略々コ字状に棒材で形成された袋開口部支持枠体（１４８）が支持フレーム（１４７）に固定されている。更に、中央部には小袋の装着を行なう際利用する屈曲部（１６７）を設けた袋開口部支承部材（１４９）が第２図矢印方向に囘動可能に前方把手部（１６２）に取付けられた円筒状支持部材（１６３）に１端が嵌挿支持されている。この他端は円筒状前方キャッチャー（１６４）に嵌挿支持する。２ヶの袋を使用しない時は図示の如くに囘動させて後方支持フレーム（１４７）に設けた円筒状後方キャッチャー（１６４’）に他端を収め待機させておく。
【００７５】
円筒状コイルスブリング（１６５）（１６５）を外方に、多少拡開させた態様で把手部（１６２）（１６２）を取付け、袋装着時には弾性力により袋脱落を阻止する。袋２ヶ使いの場合にはこのコイルによる係止効果には特に有効なものである。第２８図に１点鎖線で示すものは小袋の装着状態を示すもので、小袋の開口部の１部に折返しを設けた上、これを利用して屈曲部（１６７）、袋装着屈曲部（１６６）と袋装着枠体（１４５）外側に囲繞させて小袋を取付ける。大袋の場合は装着枠体（１４５）の全外周側のみを利用して取付ける。
【００７６】
袋装着枠体（１４５）を袋装着枠体支承装置（１６０）に取付けるには滑動体抱持部材（１３９）に滑動体（１４６）を前側方又は後側方から差込めば可い。そして、この状態で袋装着枠体（１４５）を半ば前方に引出せば、袋装着又は離脱を容易に実施できる様ににる。
【００７７】
第２６図に示す外筺体（１５０）について説明する。第２５図で一点鎖線図示の外筺体（１５０）は前方開口部（１５４）を前扉（１５１）で開閉蓋自在になる如く形成されていて前扉（１５１）と外筺体（１５０）の前方底縁には蝶番（図示せず）接合となっていて、前扉は此処で前方に開蓋可能になっいる。勿論、横部に蝶番を取付け開閉する構造としても構わない。開口部（１５２）は廃棄物投入口であって、１〜２個、前扉上に配設し、外方上部に前庇（１５３）等をもうけると開口部（１５２）を半閉塞状とする事が出来外筺体（１５０）内を覗き込み難くなるので体裁良く利用できるものとなる。
【００７８】
基台（１３１）に設置したフレーム構造体や巻囘体保持装置（１３２）は第２５図々示の如く、外筺体（１５０）の図示せぬ底板上に載置して利用する事は勿論、外筺体底板に代えて基台（１３１）上部外側や袋装着枠体（１４５）の１部や支承装置（１６０）の１部や外筺体（１５０）の１部に係着部を設けて嵌込み利用する様にしてもよい。又、この外筺体（１５０）内に本案中子外容器（１３０）に代えて第３実施例の中子外容器（１１０）を配置して利用しても可い。又、中子外容器だけでなく、更に、外筺体（１５０）の両側板（１５５）の内面に前述の滑動体抱持装置部材（１３９）を直接固定して（図示せず）これに袋装着枠体（１４５）を取付て支承装置（１６０）を省略する事もできる。保持装置や、外筺体等夫々本願開示の技術を、適宜、組合わせて利用する事は本願請求の範囲に含まれるものである。
【図面の簡単な説明】
【第１図】本案巻囘体第１実施例の具体的構造を示す図である。
【第２図】本案巻囘体仕上り状態の端部を固定する締付片（シール材）の第１実施例図である。
【第３図】本案巻囘体の巻上状態での端部を固定する締付片（シール材）の適用例図である。
【第４図】本案巻囘体の巻上状態での端部を固定する締付片（シール材）の第２の適用例図である。
【第５図】本案巻囘体の第２実施例の具体的構造を示す図である。
【第６図】本案巻囘体保持装置の第１実施例を示す図である。（箱型保持装置）
【第７図】本案巻囘体保持装置の第２実施例の前面視を示す図である。
【第８図】本案第２実施例（第７図）の側面視図である。
【第９図】本案巻囘体保持装置の第２実施例の斜視図である。（１部切欠図示）
【第１０図】本案巻囘体保持装置の第２実施例の棒状部材固定部の取付を説明する図である。
【第１１図】本案巻囘体保持装置の第３実施例を示す図である。（１部切欠図示）（箱型保持装置）
【第１２図】本案巻囘体保持装置の第４実施例を示す図である。
【第１３図】本案巻囘体保持装置の第５実施例を示す図である。
【第１４図】本案巻囘体保持装置の第６実施例を示す図である。
【第１５図】巻囘体保持装置を外筺体等の他の装置や部材と固定する手段（係着クリップやマジック板）の例を示す図である。
【第１６図】クリップ・ヒンジにより天蓋、本体間の連結をする様子を説明する図である。（第１１図関連）
【第１７図】紙片截断器（シュレッダー）等に用いる本案第１実施例及び第２実施例の外筺体と第１実施例の中子外容器（６０）を説明する斜視図である。
【第１８図】本案中子外容器第１実施例の構成を説明する斜視図である。
【第１９図】本案巻囘体より布袋袋をほどき出した状態を例を説明する斜視図である。
【第２０図】本案中子外容器の第２実施例を説明する図。
【第２１図】上記本案中子外容器の第２実施例（第２０図）と関連する第３実施例外筺体の説明図。
【第２２図】本案中子外容器の第３実施例を説明する斜視図。
【第２３図】本案中子外容器の第３実施例の基台の構造を説明する斜視図。
【第２４図】上記中子外容器の第３実施例の基台の天蓋を閉じた状態を示す斜視図。
【第２５図】本案の第４実施例の中子外容器及び第４実施例外の筺体と第４実施例の中子外容器の関係を示す図。（１部切欠図示）
【第２６図】本案の第４実施例外筺体。
【第２７図】本案の第４実施例の中子外容器分解斜視図
【第２８図】本案の第４実施例の中子外容器組立図
【符号の説明】
（予備）連続巻囘体　　１０
保持装置　　　２０
外容器　　　　６０
【手続補正３】
【補正対象書類名】図面
【補正対象項目名】全図
【補正方法】変更
【補正の内容】
【図１】
2004075378.tif 000029
【図２】
2004075378.tif 000030
【図３】
2004075378.tif 000031
【図４】
2004075378.tif 000032
【図５】
2004075378.tif 000033
【図６】
2004075378.tif 000034
【図７】
2004075378.tif 000035
【図８】
2004075378.tif 000036
【図９】
2004075378.tif 000037
【図１０】
2004075378.tif 000038
【図１１】
2004075378.tif 000039
【図１２】
2004075378.tif 000040
【図１３】
2004075378.tif 000041
【図１４】
2004075378.tif 000042
【図１５】
2004075378.tif 000043
【図１６】
2004075378.tif 000044
【図１７】
2004075378.tif 000045
【図１８】
2004075378.tif 000046
【図１９】
2004075378.tif 000047
【図２０】
2004075378.tif 000048
【図２１】
2004075378.tif 000049
【図２２】
2004075378.tif 000050
【図２３】
2004075378.tif 000051
【図２４】
2004075378.tif 000052
【図２５】
2004075378.tif 000053
【図２６】
2004075378.tif 000054
【図２７】
2004075378.tif 000055
【図２８】
2004075378.tif 000056